(57)【要約】  携帯端末のユーザーが適正な通話費用を考慮して音声通話の通話品質を選択することができるようにし、このような選択のための携帯端末のユーザーインターフェースは携帯端末で最小限の面積のみを占有するようにすることにより、ユーザーインターフェースを小さくて効率的に実現することができるようにする、携帯端末のワンタッチ通話モード制御方法を提供する。このために、本発明は、ユーザーに選択されるたびに、ボイスモード及びデータ通信モードを交互に切り替えるワンタッチ通話モード切替メニューをタッチスクリーンの一領域に表示するステップと、ボイスモードまたはデータ通信モードの中からユーザーに選択されたモードに対して、ユーザーに選択された地域に応じて予め定められた時間当たりの料金率情報をタッチスクリーンでワンタッチ通話モード切替メニューに隣り合うように表示するステップとを含み、時間当たりの料金率情報は、ボイスモード及びデータ通信モードが切り替えられるたびに、ユーザーに選択されたモード及び地域を参照して算出されタッチスクリーンに表示できる。
2016530801.tif 000002
【特許請求の範囲】
【請求項１】
ユーザーに選択されるたびに、ボイスモードとデータ通信モードとを交互に切り替えるワンタッチ通話モード切替メニューをタッチスクリーンの一領域に表示するステップと、
前記ボイスモード及び前記データ通信モードの中からユーザーに選択されたモードに対して、ユーザーに選択された地域に応じて予め定められた時間当たりの料金率情報を前記タッチスクリーンで前記ワンタッチ通話モード切替メニューに隣り合うように表示するステップと、を含み、
前記時間当たりの料金率情報は、
前記ボイスモードと前記データ通信モードとが切り替えられるたびに、ユーザーに選択されたモード及び前記地域を参照して算出され、前記タッチスクリーンに表示されることを特徴とする、携帯端末のワンタッチ通話モード制御方法。
【請求項２】
前記ワンタッチ通話モード切替メニューは、
それぞれ前記ボイスモードと前記データ通信モードとに対応する第１アイコンと第２アイコンとが重畳する重畳アイコンから構成され、前記タッチスクリーンに表示されることを特徴とする、請求項１に記載の携帯端末のワンタッチ通話モード制御方法。
【請求項３】
前記第１アイコンと前記第２アイコンとは、
ユーザーに選択されるたびに前記第１アイコンと前記第２アイコンとの位置が互いに切り替えられることを特徴とする、請求項２に記載の携帯端末のワンタッチ通話モード制御方法。
【請求項４】
前記ボイスモードと前記データ通信モードとは、
それぞれ音声通信網を用いる通話モード及びデータ通信網を用いる通話モードに対応することを特徴とする、請求項１に記載の携帯端末のワンタッチ通話モード制御方法。
【請求項５】
前記ワンタッチ通話モード切替メニューに隣り合うように表示するステップは、
前記ユーザーに選択されたモードが前記ボイス通話モードである場合、移動通信会社が提供する無料通話時間を参照して前記時間当たりの料金率を算出し、これを前記タッチスクリーンに表示するステップであることを特徴とする、請求項１に記載の携帯端末のワンタッチ通話モード制御方法。
【請求項６】
前記時間当たりの料金率情報は、
前記ボイスモードであるときの第１時間当たりの料金率情報、及び前記データ通信モードであるときの第２時間当たりの料金率情報から構成され、前記タッチスクリーンで隣り合うように配置及び表示され、
前記第１時間当たりの料金率情報及び前記第２時間当たりの料金率情報のうち、ユーザーに選択されたモードに対応するものがハイライト（Ｈｉｇｈｌｉｇｈｔ）処理されて前記タッチスクリーンに表示されることを特徴とする、請求項１に記載の携帯端末のワンタッチ通話モード制御方法。
【請求項７】
前記第１時間当たりの料金率情報及び前記第２時間当たりの料金率情報のいずれか一つは、
もう一つと異なる色相で表現するか、点滅させるか或いは太字で表現することにより、ハイライト処理されることを特徴とする、請求項６に記載の携帯端末のワンタッチ通話モード制御方法。
【請求項８】
前記ワンタッチ通話モード切替メニューに隣り合うように表示するステップの後に行われ、
前記ワンタッチ通話モード切替メニューがユーザーに選択されるとき、前記タッチスクリーンに前記ボイスモードまたは前記データ通信モードの利用を案内するための通話モード案内メッセージを表示するステップをさらに含むことを特徴とする、請求項１に記載の携帯端末のワンタッチ通話モード制御方法。
【請求項９】
前記通話モード案内メッセージは、
０．５秒〜５秒の表示時間の間前記タッチスクリーンに表示され、前記表示時間の後にブラインド（Ｂｌｉｎｄ）処理されることを特徴とする、請求項８に記載の携帯端末のワンタッチ通話モード制御方法。
【請求項１０】
ユーザーに選択されるたびに、ボイスモードとデータ通信モードとを交互に切り替えるためのワンタッチ通話モード切替メニュー及び通話モード設定メニューをタッチスクリーンに表示するステップと、
前記ワンタッチ通話モード切替メニューがユーザーに選択されるたびに、前記ボイスモード及び前記データ通信モードに対応する時間当たりの料金率情報を前記タッチスクリーンに表示するステップと、
前記通話モード設定メニューがユーザーに選択される場合、前記ボイスモードと前記データモードに対応するテスト音声信号を、無線ネットワークで接続されるテストサーバーから受信して再生するための通話品質テストメニューを前記タッチスクリーンに表示するステップと、を含んでなることを特徴とする、携帯端末のワンタッチ通話モード制御方法。
【請求項１１】
前記通話品質テストメニューは、
前記携帯端末が接続中である無線ネットワークの種類を案内するネットワーク案内メッセージ、及び前記テストサーバーへ前記テスト音声信号を要請するための音声信号要請メニューを含むことを特徴とする、請求項１０に記載の携帯端末のワンタッチ通話モード制御方法。
【発明の詳細な説明】
【技術分野】
【０００１】
本発明は、携帯端末の制御方法に係り、さらに詳しくは、既存の音声通信網を基盤とするボイスモード及びデータ通信網を基盤とするデータ通信モードのいずれかをワンタッチで選択し、選択された通話モードに対する時間当たりの料金率情報をタッチスクリーンに表示することにより、携帯端末のユーザーが費用対通話品質を自ら選択して利用することができるようにする、携帯端末のワンタッチ通話モード制御方法に関する。
【背景技術】
【０００２】
モバイルフォンやスマートフォンなどの携帯端末は、基本的には、移動通信会社が提供する無線ネットワークを用いて音声通信機能を行い、これに加えて、メディアファイルを再生したりカメラで映像を撮像したりするマルチメディア機能だけでなく、無線ネットワークを用いてメッセージをやり取りするメッセンジャー（Ｍｅｓｓｅｎｇｅｒ）機能を処理するに至っている。携帯端末は、ユーザーが携帯しながら音声通信または映像通信を行わなければならないので、小型化及びスリム化が求められることが常識的であるが、このような要求条件を満たそうとすると、携帯端末の入力装置として主に用いられるタッチスクリーンのサイズは数インチ級を超え難いという特徴がある。
【０００３】
このように、小型化及びスリム化を実現し且つユーザーの便宜性を向上させなければならない、矛盾する条件を満たすために、携帯端末のメニューは、パーソナルコンピュータとは別の形で発展してきた側面がある。
【０００４】
韓国公開特許１０−２０１０−０１３３２４５は、タッチスクリーンに表示される２つのアイコンを重畳させるが、ある領域は重畳せず露出されるようにし、ユーザーが重畳領域に加えるタッチ圧力に応じて上側アイコンまたは下側アイコンが選択されるようにする、携帯端末の制御方法を開示している。しかし、韓国公開特許１０−２０１０−０１３３２４５では、タッチ圧力に応じて、重畳したアイコンのいずれかを選択しなければならないので、ユーザーによってはこのようなアイコン選択方法が不便であることもある。
【０００５】
一方、携帯端末に様々な機能が付加されてその機能が拡張されても、音声通信（または画像通信）機能が主となる。移動通信会社が提供する無線通信網（例えばＣＤＭＡ網）を用いて携帯端末が音声通信を行う場合、携帯端末は、通話時間に比例する通話費用を支払わなければならないという負担が発生することがある。これに対して、現在インターネット基盤の無料通話サービスが利用されているが、韓国の大成ホールディングス（株）でサービス中のスカイプサービスやＯｆｒｅｅなどの無料国際電話アプリケーションがインターネット電話サービスを提供している。
【０００６】
前述したサービスは、通話費用を低減するために、移動通信会社が提供する無線通信網の利用を最小化するか或いはインターネット電話を利用する方式が主流となっている。
【０００７】
顧客によっては、若干のお金をさらに支払っても、良好な通話品質を希望する場合が多いが、前述したサービスやアプリケーションは、このような顧客のニーズを満たすには限界がある。これにより、携帯端末のユーザーは、既存の移動通信会社が提供する無線通信網にのみ頼るのではなく、費用対通話品質に優れた通信サービスも必要としており、このような通信サービスを利用するためのインターフェースはさらに便利であることが求められる。
【発明の概要】
【発明が解決しようとする課題】
【０００８】
本発明の目的は、携帯端末のユーザーが適正な通話費用を考慮して音声通話の通話品質を選択することができるようにし、このような選択のための携帯端末のユーザーインターフェースは小さくてスリムな携帯端末で便利に利用できるようにする、携帯端末のワンタッチ通話モード制御方法を提供することにある。
【課題を解決するための手段】
【０００９】
上記目的を達成するために、本発明は、ユーザーに選択されるたびに、ボイスモードとデータ通信モードを交互に切り替えるワンタッチ通話モード切替メニューをタッチスクリーンの一領域に表示するステップと、前記ボイスモード及び前記データ通信モードの中からユーザーに選択されたモードに対して、ユーザーに選択された地域に応じて予め定められた時間当たりの料金率情報を前記タッチスクリーンで前記ワンタッチ通話モード切替メニューに隣り合うように表示するステップと、を含み、前記時間当たりの料金率情報は、前記ボイスモードと前記データ通信モードが切り替えられるたびに、前記ユーザーに選択されたモード及び前記地域を参照して算出され、前記タッチスクリーンに表示される、携帯端末のワンタッチ通話モード制御方法を提供する。
【００１０】
上記目的を達成するために、本発明は、ユーザーに選択されるたびに、ボイスモードとデータ通信モードを交互に切り替えるためのワンタッチ通話モード切替メニュー及び通話モード設定メニューをタッチスクリーンに表示するステップと、前記ワンタッチ通話モード切替メニューがユーザーに選択されるたびに、前記ボイスモード及び前記データ通信モードに対応する時間当たりの料金率情報を前記タッチスクリーンに表示するステップと、前記通話モード設定メニューがユーザーに選択される場合、前記ボイスモードと前記データモードに対応するテスト音声信号を、無線ネットワークで接続されるテストサーバーから受信して再生するための通話品質テストメニューを前記タッチスクリーンに表示するステップとを含んでなる、携帯端末のワンタッチ通話モード制御方法を提供する。
【発明の効果】
【００１１】
本発明によれば、携帯端末のユーザーが適正な通話費用を考慮して音声通話の通話品質を選択することができるようにし、このような選択のための携帯端末のユーザーインターフェースは携帯端末において最小限の面積のみを占有するようにすることにより、ユーザーインターフェースを小さく且つ効率的に実現することができるようにする。
【図面の簡単な説明】
【００１２】
【図１】本発明の一実施形態に係る携帯端末のワンタッチ通話モード制御方法を示す概念図である。
【図２】図１で説明されたアプリのインターフェース画面の一例を示す参照図である。
【図３】図１で説明されたアプリのインターフェース画面の一例を示す参照図である。
【図４】図１で説明されたアプリのインターフェース画面の一例を示す参照図である。
【図５】図１で説明されたアプリのインターフェース画面の一例を示す参照図である。
【図６】図１で説明されたアプリのインターフェース画面の一例を示す参照図である。
【図７】図１で説明されたアプリのインターフェース画面の一例を示す参照図である。
【図８】図１で説明されたアプリのインターフェース画面の一例を示す参照図である。
【図９】図１で説明されたアプリのインターフェース画面の一例を示す参照図である。
【図１０】本発明の一実施形態に係る携帯端末のワンタッチ通話モード制御方法を示すフローチャートである。
【発明を実施するための形態】
【００１３】
本明細書に記載されている携帯端末は、モバイルフォン、スマートフォン、ＰＤＡ（Ｐｅｒｓｏｎａｌ  Ｄｉｇｉｔａｌ  Ａｓｓｉｓｔａｎｔ）、およびその他のＣＤＭＡ（Ｃｏｄｅ  Ｄｉｖｉｓｉｏｎ  Ｍｕｌｔｉｐｌｅ  Ａｃｃｅｓｓ）またはＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式により音声通信及びデータ通信が可能であり、タッチスクリーンを備える形態の機器を意味することができる。以下、携帯端末は、タッチスクリーンを入力装置として備えるスマートフォンを基準として説明する。
【００１４】
本明細書に記載されている「時間当たりの料金率情報」は、単位時間（例えば、１秒、３秒、５秒、１０秒、３０秒、１分および３分など）当たり、本出願人が携帯端末のユーザーに賦課する通信費用に対する課金時間単位を意味することができる。
【００１５】
例えば、時間当たりの料金率情報が２５ウォン、単位時間が１分、通話時間が１０分であれば、携帯端末のユーザーが支払うべき総通話費用は２５０ウォンであり、この時の時間当たりの料金率情報は２５ウォンである。
【００１６】
本明細書に記載されている「ボイスモード」は、移動通信会社の音声通信網を用いて携帯端末が音声通信を行うモードを意味することができる。
【００１７】
携帯端末の料金制に基づいて、移動通信会社から携帯端末に提供する無料通話時間を提供する場合が多いところ、ボイスモードは、移動通信会社から携帯端末に提供する無料通話時間を用いて低廉な費用で良好な音質の音声通信を提供するモードに対応することができる。
【００１８】
「ボイスモード」は、携帯電話会社から音声通信のために提供する音声通信網を活用する。しかし、ボイスモードは、音声通信にかかる通話費用の節減のために、公衆網（ＰＳＴＮ）やデータ通信網を一部組み合わせて構成されることもできる。ところが、ボイスモードは、基本的には、移動通信会社から提供される専用無線網を最大限に活用するモードを指す。
【００１９】
「データ通信モード」は、インターネットを介して国内および世界で音声通信を行うインターネット電話を提供するモードに対応する。
【００２０】
データ通信モードは、インターネット電話を基盤とするので、Ｗｉ−Ｆｉ（Ｗｉｒｅｌｅｓｓ  Ｆｉｄｅｌｉｔｙ）網、３Ｇ（３−Ｇｅｎｅｒａｔｉｏｎ）データ網、４Ｇ（ＬＴＥ：Ｌｏｎｇ  Ｔｅｒｍ  Ｅｖｏｌｕｔｉｏｎ）データ網などを利用して構成できるが、基本的には、データ転送のために設けられるデータ通信網を主に利用するので、ボイスモードに比べて音声通信の品質は多少低いことがある。また、データ通信モードは、発信者携帯端末から受信者携帯端末へ伝送する音声信号がデータパケットの形を持つため、発信者の音声に対応するパケットが順次受信者携帯端末へ伝送されるのではなく、このようなパケットを組み合わせて音声を生成しなければならないので、発信者携帯端末から受信者携帯端末へ伝送される音声信号の伝達速度を減少させることができる。
【００２１】
しかし、データ通信モードは、インターネットが接続されるところであれば何処でも、発信者携帯端末と受信者携帯端末とが音声信号をやり取りすることができ、発信者や受信者の携帯端末が同じアプリ（Ａｐｐ）を備えていなくても音声信号をやり取りすることができる。その代わりに、専用無線網を利用するボイスモードに比べて音質は落ちることがある。
【００２２】
以下、図面を参照して本発明を詳細に説明する。
【００２３】
図１は本発明の一実施形態に係る携帯端末のワンタッチ通話モード制御方法を示す概念図である。
【００２４】
図１を参照すると、実施形態に係る携帯端末のワンタッチ通話モード制御方法（以下、通話モード制御方法という。）は、無料国際電話サービスを提供する本出願人のサービスシステム２００を中心に、発信者携帯端末１００と受信者携帯端末３００とが無線ネットワークで接続され、発信者携帯端末１００はサービスシステム２００に接続して無料国際通話サービスを利用するための費用を充填し、サービスシステム２００は発信者携帯端末１００が入金した金額に相当する前払いポイントを発信者携帯端末１００のアカウントに積み立てる。その後、発信者携帯端末１００がボイスモードで移動通信会社の音声通信網５０を利用する場合、サービスシステム２００は、移動通信会社の音声通信網５０を運用する網事業者に前払いポイント（または前払いポイントに相当する費用）を提供することができる。他方、発信者携帯端末１００がデータ通信モードを利用する場合、サービスシステム２００は、発信者端末１００と受信者携帯端末３００が移動通信会社のデータ通信網６２、６３を利用する場合にのみ前払いポイントを差し引くことができる。差し引かれる前払いポイントだけ移動通信会社にデータ通信網６２、６３の利用料金を前払いポイント（またはこれに相当する費用）で提供することができる。ここで、データ通信網６０がＩＳＰ（Ｉｎｔｅｒｎｅｔ  Ｓｅｒｖｉｃｅ  Ｐｒｏｖｉｄｅｒ）業者から提供するインターネット６４であるか或いはＷｉ−Ｆｉ６１である場合、発信者携帯端末１００のアカウントに積み立てられた前払いポイントは、有・無線通信網の利用に対する費用を支払う必要はないが、但し、インターネット電話サービスを提供するサービスシステム２００にサービス利用料として前払いポイントを差し引くことはできる。
【００２５】
ここで、前払いポイントは、発信者携帯端末１００が現金を用いてサービスシステム２００から購買するか、或いは口座振替やクレジットカード決済を介してサービスシステム２００から購買することができる。
【００２６】
つまり、前払いポイントは、現金に代えるものであって、移動通信会社事業者と前もって協議して発信者携帯端末１００が受信者携帯端末３００に音声通話を行うたびに、発信者携帯端末１００に積み立てられた前払いポイントを差し引き、差し引かれた前払いポイントの全部または一部を移動通信会社事業者に提供する方式で通信費用が処理できる。
【００２７】
一方、サービスシステム２００は、発信者携帯端末１００に前払いポイント購買サービスを提供するだけでなく、発信者携帯端末１００が通話モードを選択することができるようにテスト音声信号を提供することができる。
【００２８】
通話モードはボイスモードとデータ通信モードとを意味するが、前述したように、ボイスモードは、発信者携帯端末１００が移動通信会社の音声通信網５０を中心に音声通話サービスを提供するモードに対応し、データ通信モードは、Ｗｉ−Ｆｉ、３Ｇデータ網および４Ｇデータ網を中心に構成できる。データ通信モードは、基本的には、発信者携帯端末１００と受信者携帯端末３００がインターネット電話を行うことができるようにするため、データ通信料金がかかることがあるが、発信者携帯端末１００と受信者携帯端末３００との間でインターネット電話サービスを提供するサービスシステム２００がサービス利用料を徴収することができ、移動通信会社のデータ通信網６２、６３の利用に対する利用料が発生することができる。
【００２９】
ボイスモードとデータ通信モードは、本出願人が製作し配布するアプリを用いて実現でき、ユーザーの便宜性のために配布されるアプリのメインインターフェース画面でボイスモードとデータ通信モードを切り替えるためのワンタッチ通話切替メニューがタッチスクリーンに表示でき、タッチスクリーンに表示されたワンタッチ通話モード切替メニューがユーザーに選択されるたびに、つまりユーザーがタッチスクリーンにタッチ入力を加えるたびに、ボイスモードとデータ通信モードが交互に切り替えられるようにすることができる。このようなインターフェースは、発信者携帯端末１００と受信者携帯端末３００に設けられるタッチスクリーンのサイズが制限的であることを考慮すると、アプリのインターフェースに表示されるメニューの数を減少させ、ユーザーがボイスモードとデータ通信モードに応じて探して選択する必要がないため、ユーザーの便宜性が向上する側面がある。
【００３０】
これに加えて、ワンタッチ通話モード切替メニューに隣り合うように時間当たりの料金率情報が表示できる。時間当たりの料金率情報は、単位時間（例えば、１秒、３秒、５秒、１０秒、３０秒、１分、３分及び５分など）の間にかかる通信費用を意味することができるが、時間当たりの料金率情報は、発信者携帯端末１００の位置する地域から受信者携帯端末３００の位置する地域に音声通話を行うときに、通話時間と乗算されて、発信者携帯端末１００が支払うべき通信費用を算出するために利用できる。
【００３１】
韓国では発信者携帯端末１００が通信費用を支払うのに対し、米国では発信者携帯端末１００と受信者携帯端末３００とが半分ずつ負担する方式なので、米国と同様の通話料金体系を持つ地域では、発信者携帯端末１００と受信者携帯端末３００が通信費用に対する前払いポイントを半分ずつ負担することもできる。前払いポイントの負担方式は、発信者携帯端末１００または受信者携帯端末３００が位置する地域によって異なることがある。但し、これに限定されない。
【００３２】
図２乃至図９は図１で説明されたアプリのインターフェース画面の一例を示す参照図である。
【００３３】
まず、図２はアプリのメインインターフェース画面を示すものであって、図２を参照すると、メインインターフェース画面には、ダイヤルメニュー１０１ａ、アドレス帳メニュー１０１ｂ、コールリストメニュー１０１ｃ、および一覧メニュー１０１ｄからなるメインメニュー１０１、地域選択メニュー１０２、ワンタッチ通話モード切替メニュー１０３、ダイヤル入力メニュー１０４および通話モード設定メニュー１０５を含んで構成でき、ワンタッチ通話モード切替メニュー１０３がユーザーに選択されるたびにダイヤル入力メニュー１０４上に通話モード案内メッセージ１０６が表示できる。表示される通話モード案内メッセージ１０６は、ユーザーに選択された通話モードがどの通話モードであるかを表示するもので、ユーザーのタッチ入力によって通話モードが変更されるたびにタッチスクリーンに表示され、一定時間（例えば０．５秒〜５秒）後にはタッチスクリーンに表示解除されることが望ましい。
【００３４】
ワンタッチ通話モード切替メニュー１０３は、ボイスモードに対応するアイコン１０３ａとデータ通信モードに対応するアイコン１０３ｂとが重畳して構成される。
【００３５】
重畳した２つのアイコン１０３ａ、１０３ｂの一部の領域は重畳せずに露出されるが、露出される領域はユーザーによって別個にタッチ入力を受けるために設けられるものではなく、発信者携帯端末１００または受信者携帯端末３００のユーザーが、ワンタッチ通話モード切替メニュー１０３が複数のアイコン１０３ａ、１０３ｂからなることを認知することができるようにするために、一部の領域を重畳させずに露出させる。
【００３６】
発信者携帯端末１００または受信者携帯端末３００のユーザーは、重畳していない領域を介して、該当アイコン１０３が２つ以上のアイコン１０３ａ、１０３ｂから構成されることを認知することができる。ワンタッチ通話モード切替メニュー１０３では、ユーザーに選択されるたびに、すなわち、ユーザーによってタッチ入力が加えられるたびに、ボイスモードとデータ通信モードに対応するアイコン１０３ａ、１０３ｂが交互に切り替えられて表示される。このとき、地域選択メニュー１０２には時間当たりの料金率情報１０２ｂが通信モードに応じて表示される。時間当たりの料金率情報は、地域選択メニュー１０２から選択された受信地域（図２では「モルディブ」）によって異なる値を持つことができるが、受信地域に加えて通信モード（ボイスモードとデータ通信モード）によっても異なる値を持つことができる。
【００３７】
したがって、発信者携帯端末１００または受信者携帯端末３００のユーザーがアプリのインターフェース画面を介して受信地域を選択し、ワンタッチ通話モード切替メニュー１０３を介して通話モードを選択すると、受信地域と通話モードに対応する時間当たりの料金率情報１０２ｂが地域選択メニュー１０２に表示される。
【００３８】
通話モード設定メニュー１０５は、ユーザーに選択される場合、通話モードや品質に関する情報、通話モード別の品質テスト、各モード別の利用内訳、料金比較、連絡先管理などを行うサブメニューをタッチスクリーンに表示することができる。
【００３９】
図３はワンタッチ通話モード切替メニュー１０３がユーザーに選択されたとき、ボイスモードからデータ通信モードに切り替えられた一例を示す参照図である。
【００４０】
図３を参照すると、アプリのインターフェースがボイスモードからデータ通信モードに切り替えられる場合、ボイスモードに対応するアイコン１０３ａとデータ通信モードに対応するアイコン１０３ｂとが切り替えられ、図２でインターフェース画面に表示されたボイスモードに対するアイコン１０３ａの代わりに、データ通信モード１０３ｂのアイコン１０３ｂがインターフェース画面に表示されることを示す。このとき、地域選択メニュー１０２には、発信者携帯端末１００で選択された受信地域及び発信者携帯端末１００のユーザーが選択した通話モードによる時間当たりの料金率情報１０２ｂがタッチスクリーンに表示できる。このとき、タッチスクリーンには、ユーザーのデータ通信モードの切替かどうかを示す通話モード案内メッセージ１０６が一定時間（０．５秒〜５秒）の間表示できる。
【００４１】
図４はアプリのメインインターフェース画面の他の例を示すもので、メインインターフェース画面には地域選択メニュー１０２及びワンタッチ通話モード切替メニュー１０３が表示でき、地域選択メニュー１０２にはボイスモードであるときの時間当たりの料金率情報１０２ｄとデータ通信モードであるときの時間当たりの料金率情報１０２ｅが一緒に表示できる。このとき、時間当たりの料金率情報１０２ｄ、１０２ｅのうち、ユーザーに選択された通話モードに対応する時間当たりの料金率情報（１０２ｄ、１０２ｅのいずれか）がハイライト処理され、ユーザーに選択されていない通話モードとは差別化されるように表示できる。ここで、ハイライト処理は、
１）ユーザーに選択された通話モード（ボイスモード及びデータ通信モードのいずれか）に対する時間当たりの料金率情報を点滅させ、
２）ユーザーに選択された通話モードに対する時間当たりの料金率情報を太字で表示し、或いは
３）ユーザーに選択された通話モードに対する時間当たりの料金率情報の色相を、ユーザーに選択されていない通話モードの時間当たりの料金率情報とは差別化される色相で表示することができる。
【００４２】
図４の実施形態はボイスモードとデータ通信モードの二つの通話モードに対する時間当たりの料金率情報１０２ｄ、１０２ｅをタッチスクリーンに表示し、表示された時間当たりの料金率情報１０２ｄ、１０２ｅのうちユーザーに選択されたものをハイライト処理することにより、発信者携帯端末１００のユーザーが時間当たりの料金率情報１０２ｄ、１０２ｅを一緒に比較して選択することができるようにする。
【００４３】
図５は図４の実施形態でワンタッチ通話モード切替メニュー１０３がユーザーに選択されて通話モードが切り替えられたときの一例を示す参照図である。
【００４４】
図５を参照すると、ワンタッチ通話モード切替メニュー１０３がユーザーに選択されるとき、データ通信モードに対するアイコン１０３ｂがタッチスクリーンに露出され、図４でタッチスクリーンに露出されていたボイスモードに対するアイコン１０３ａは隠された状態に切り替えられる一例を示す。
【００４５】
図５において、ユーザーに選択された通話モードはデータ通信モードであり、タッチスクリーンにはデータ通信モードに対応する時間当たりの料金率情報１０２ｄが表示される。ところが、データ通信モードに対応する時間当たりの料金率情報１０２ｄは、ユーザーに選択されたとき、ボイス通信モードに対する時間当たりの料金率情報１０２ｅとその位置が切り替えられて表示される。
【００４６】
図４ではボイスモードに対する時間当たりの料金率情報１０２ｄとデータ通信モードに対応する時間当たりの料金率情報１０２ｅが順次配列されているが、図５ではデータ通信モードに対応する時間当たりの料金率情報１０２ｅとデータ通信モードに対応する時間当たりの料金率情報１０２ｄが順次配列されている。つまり、ユーザーの識別性を向上させるために、時間当たりの料金率情報の表示順序は、ユーザーに選択されたものを上に配列し、ユーザーに選択されていないものを下に配列するようにすることができる。
【００４７】
図６は図３に示した通話モード設定メニューがユーザーに選択されたとき、タッチスクリーンに表示されるインターフェースの一例を示す図である。
【００４８】
図６を参照すると、タッチスクリーンには、通話モード設定メニュー１０５に対するサブメニューとして、通話モードメニュー１０５ｂ、通話品質テストメニュー１０５ｃ及び料金比較メニュー１０５ａが表示できるが、これらのサブメニューのうち、料金比較メニュー１０５ｅは、発信者携帯端末１００と受信者携帯端末３００の位置に応じた時間当たりの料金率情報を表示するメニューに対応し、通話モードメニュー１０５ｂは、通話モード、例えば、ボイスモードとデータ通信モードに対する案内情報をタッチスクリーンに表示するメニューに対応し、通話品質テストメニュー１０５ｃは、発信者携帯端末１００のユーザーが受信者携帯端末３００に呼接続を行う前に、受信者携帯端末３００との通話音質をテストするために設けられ得る。
【００４９】
ここで、通話品質テストメニュー１０５ｃに対する詳細は図７〜図９を一緒に参照して説明する。
【００５０】
図７は図６で通話品質テストメニュー１０５ｃがユーザーに選択されたとき、タッチスクリーンに表示されるサブインターフェースを示す。
【００５１】
図７には、発信者携帯端末１００が接続された通信網の種類（移動通信会社のＬＴＥ網）を案内する案内メッセージ１０５ｄ及び通話品質テストボタン１０５ｅが表示される。
【００５２】
図７によれば、発信者携帯端末１００は、移動通信会社の通信網のうちのＬＴＥ網に接続してデータ通信を行うことが分かり、ＬＴＥ網のうちのデータ転送のためのデータ通信網に接続されることが分かる。
【００５３】
図７において、発信者携帯端末１００のユーザーが通話品質テストボタン１０５ｅをタッチすると、図８に示すようなサブインターフェースがタッチスクリーンに表示される。図８に示したインターフェースは、テストアイコン１０５ｆがタッチスクリーンの中心部に表示され、その下にはサービスシステム２００からのテストパターンの獲得を知らせる案内メッセージ１０５ｇが表示される。発信者携帯端末１００がサービスシステム２００からテストパターンを獲得すると、発信者携帯端末１００はテストパターンを再生することができる。再生されるときのインターフェースは図９に示すとおりである。ここで、テストパターンは各通話モード別の標準音声ファイルに対応することができる。
【００５４】
図１０は本発明の一実施形態に係る通話モード制御方法のフローチャートを示す。図１０に関する説明は図１〜図９を一緒に参照する。
【００５５】
図１０を参照すると、まず、発信者携帯端末１００は、受信先（受信地域）を選択し（Ｓ４０１）、アプリに設けられるワンタッチ通話モード切替メニュー１０２ｂを選択してボイスモード及びデータ通信モードのいずれかを選択することができる。発信者携帯端末１００にインストールされるアプリは、ユーザーに選択された通話モードがボイスモードであるか否かを判断する（Ｓ４０２）。
【００５６】
もし、ユーザーに選択されたモードがボイスモードである場合、アプリは、移動通信会社で提供する無料通話時間から時間当たりの料金率情報１０２ｂを把握し、これをタッチスクリーンに表示することができる（Ｓ４０３）。このとき、時間当たりの料金率情報１０２ｂをワンタッチ通話モード切替メニュー１０２ｂに隣り合うように配置することにより、関連付けられているもの同士が隣り合うように配置され、これにより、ユーザーがワンタッチ通話モード切替メニュー１０２によって変更される時間当たりの料金率情報を容易に把握することができるようにする。
【００５７】
一方、アプリは、発信者携帯端末１００の使用可能な無料通話時間が消尽したか否かを判断し、判断の結果、無料通話時間が全て消尽した場合にはボイスモードにおける時間当たりの料金率情報を更新することができる。アプリは、発信者携帯端末１００と移動通信会社との間で約定されたデータ通信網６２、６３の利用料金を参照して、発信者携帯端末１００がサービスシステム２００に充填しておいた前払いポイントを差し引くことができる（Ｓ４０５）。
【００５８】
一方、Ｓ４０２ステップで、発信者携帯端末１００で選択された通話モードがボイスモードではない場合、アプリは、発信者携帯端末１００で選択されたモードがデータ通信モードであると判断し、Ｗｉ−Ｆｉ（Ｗｉｒｅｌｅｓｓ  Ｆｉｄｅｌｉｔｙ）網、３Ｇ（３−Ｇｅｎｅｒａｔｉｏｎ）網、４Ｇ網（ＬＴＥ：Ｌｏｎｇ  Ｔｅｒｍ  Ｅｖｏｌｕｔｉｏｎ網）などを利用して構築されるインターネット電話網に対する時間当たりの通信料金率をタッチスクリーンに表示することができる。このとき、時間当たりの通信料金率はワンタッチ通話モード切替メニュー１０２ｂに隣り合うように表示することができる。最後に、アプリはデータ通信モードに対する無料データ量が全て消尽したか否かを判断することができる。もし、移動通信会社と契約された無料データ通信量が全て消尽した場合、発信者携帯端末１００は、移動通信会社と約定されたところにより、データ通信費を支出しなければならないが、データ通信費は、サービスシステム２００に充填しておいた前払いポイントを差し引くことにより処理できる。
【図１】
2016530801.tif 000003
【図２】
2016530801.tif 000004
【図３】
2016530801.tif 000005
【図４】
2016530801.tif 000006
【図５】
2016530801.tif 000007
【図６】
2016530801.tif 000008
【図７】
2016530801.tif 000009
【図８】
2016530801.tif 000010
【図９】
2016530801.tif 000011
【図１０】
2016530801.tif 000012
【国際調査報告】
2016530801.tif 000013
2016530801.tif 000014
2016530801.tif 000015
2016530801.tif 000016